(57)【要約】      （修正有）【課題】蓄電素子を保持する部材に水が溜まり難い蓄電装置、前記蓄電装置を備えた移動体、及び前記蓄電装置を備えた蓄電システムの提供。【解決手段】外部端子が突出する第一端面と該第一端面の反対側の第二端面とを表面に含む蓄電素子と、外部端子が突出する第一方向と直交する第二方向の蓄電素子の両側に配置される一対の終端部材及び一対の終端部材を連結する連結部４２を有する保持部材と、を備え、連結部４２は、第一方向及び第二方向と直交する第三方向において蓄電素子と対向する本体部４２０と、本体部４２０から第一端面に沿って延びる第一延設部４２１と、本体部４２０から終端部材に沿って延びる終端延設部４２３と、連結部４２の第二端面側の部位に設けられる排水部４２６Ａと、を有し、本体部４２０と第一延設部４２１と終端延設部４２３は、互いに接続されることで連結部４２の第一端面側隅部４２５を構成する蓄電装置。【選択図】図５
2019032998.tif 000002
【特許請求の範囲】
【請求項１】
外部端子が突出する第一端面とこの第一端面と反対側の第二端面とを表面に含む蓄電素子と、
前記外部端子が突出する第一方向と直交する第二方向において前記蓄電素子の両側に配置される一対の終端部及び前記一対の終端部を連結する連結部を有すると共に、前記蓄電素子を保持する保持部材と、を備え、
前記連結部は、
前記第一方向及び前記第二方向と直交する第三方向において前記蓄電素子と対向する本体部と、
前記本体部から前記第一端面に沿って延びる第一延設部と、
前記本体部から前記終端部に沿って延びる終端延設部と、
当該連結部の前記第二端面側の部位に設けられる排水部と、を有し、
前記本体部と前記第一延設部と前記終端延設部は、互いに連接されることで前記連結部の第一端面側隅部を構成する、蓄電装置。
【請求項２】
少なくとも前記連結部における前記蓄電素子と対向する面を覆う絶縁部材を備え、
前記連結部は、前記本体部から前記第二端面に沿って延びる第二延設部を有し、
前記絶縁部材は、前記終端部と該終端部と隣り合う前記蓄電素子との間で前記本体部と前記第二延設部とに跨った位置に凸部を有し、
前記排水部は、前記第二方向における前記凸部の外側に配置される、請求項１に記載の蓄電装置。
【請求項３】
前記第一延設部及び前記第二延設部のそれぞれは、前記第二方向において一方の終端部から他方の終端部まで連続して延び、
前記第三方向において、前記第二延設部の寸法は、前記第一延設部の寸法より大きい、請求項２に記載の蓄電装置。
【請求項４】
請求項１〜３のいずれか１項に記載の蓄電装置と、
前記蓄電装置が搭載される移動体本体と、
前記蓄電装置から供給される電力によって前記移動体本体を駆動する駆動部と、を備え、
前記蓄電装置は、前記排水部が当該蓄電装置の下端部に位置するように配置される、移動体。
【請求項５】
請求項１〜３のいずれか１項に記載の蓄電装置と、
前記蓄電装置が載置される蓄電システム本体と、
前記蓄電装置と接続され、且つ、外部から電力の入力及び外部への電力の出力が可能な入出力端子と、を備え、
前記蓄電装置は、前記排水部が当該蓄電装置の下端部に位置するように配置される、蓄電システム。
【発明の詳細な説明】
【技術分野】
【０００１】
本発明は、蓄電素子と蓄電素子を保持する保持部材とを備えた蓄電装置、前記蓄電装置を備えた移動体、及び前記蓄電装置を備えた蓄電システムに関する。
【背景技術】
【０００２】
従来から、図１４及び図１５に示すように、複数の電池セル１０１を積層した電池積層体１０２と、電池積層体１０２を積層方向に締結する固定部材１０３と、を備える電池ブロック１００が知られている（特許文献１参照）。
【０００３】
電池セル１０１は、角形で有底の外装缶１０１１と、外装缶１０１１の開口部を閉塞する封口板１０１２と、封口板１０１２の両端部に設けられる電極端子１０１３と、を有する。
【０００４】
固定部材１０３は、電池積層体１０２の両端に配置されたエンドプレート１０４と、エンドプレート１０４に固定されて、エンドプレート１０４を介して電池積層体１０２を積層方向に締結する連結固定具１０５と、を有する。
【０００５】
連結固定具１０５は、電池積層体１０２の積層方向に延長されており、横断面形状をＬ字状としている。詳しくは、連結固定具１０５は、電池セル１０１の外側面１０１Ａに沿った板状の第一部位１０５１と、電池セル１０１の天面１０１Ｂ又は底面１０１Ｃに沿った板状の第二部位１０５２と、エンドプレート１０４に沿った板状の第三部位１０５３と、を有する。この連結固定具１０５の前記積層方向の端部において、板状の第一〜第三部位１０５１〜１０５３が連続するように（隙間なく）接続されることで、連結固定具１０５の角部１０６が構成されている。このように構成される連結固定具１０５は、電池積層体１０２の両端に配置されたエンドプレート１０４に固定されることで、エンドプレート１０４を介して電池積層体１０２を積層方向に締結する。
【０００６】
以上の電池ブロック１００では、連結固定具１０５の角部１０６に隙間がないため、周囲の温度変化等によって連結固定具１０５の電池セル１０１と対向する面に結露等が生じたときに、電池ブロック１００の姿勢によっては下側に位置する角部１０６に水（結露等）が溜まり、この溜まった水によって電池セル１０１と固定部材１０３とが導通する場合がある。
【先行技術文献】
【特許文献】
【０００７】
【特許文献１】特開２０１３−２４６９９０号公報
【発明の概要】
【発明が解決しようとする課題】
【０００８】
そこで、本実施形態は、蓄電素子を保持する部材に水が溜まり難い蓄電装置、前記蓄電装置を備えた移動体、及び前記蓄電装置を備えた蓄電システムを提供することを目的とする。
【課題を解決するための手段】
【０００９】
本実施形態の蓄電装置は、
外部端子が突出する第一端面とこの第一端面と反対側の第二端面とを表面に含む蓄電素子と、
前記外部端子が突出する第一方向と直交する第二方向において前記蓄電素子の両側に配置される一対の終端部及び前記一対の終端部を連結する連結部を有すると共に、前記蓄電素子を保持する保持部材と、を備え、
前記連結部は、
前記第一方向及び前記第二方向と直交する第三方向において前記蓄電素子と対向する本体部と、
前記本体部から前記第一端面に沿って延びる第一延設部と、
前記本体部から前記終端部に沿って延びる終端延設部と、
当該連結部の前記第二端面側の部位に設けられる排水部と、を有し、
前記本体部と前記第一延設部と前記終端延設部は、互いに連接されることで前記連結部の第一端面側隅部を構成する。
【００１０】
かかる構成によれば、排水部が蓄電装置の下端部に位置するように当該蓄電装置が配置されたときに、保持部材における蓄電素子と対向する面に生じた結露等の水が排水部から外部へ排水されるため、保持部材に水が溜まり難い。
【００１１】
また、前記蓄電装置は、
少なくとも前記連結部における前記蓄電素子と対向する面を覆う絶縁部材を備え、
前記連結部は、前記本体部から前記第二端面に沿って延びる第二延設部を有し、
前記絶縁部材は、前記終端部と該終端部と隣り合う前記蓄電素子との間で前記本体部と前記第二延設部とに跨った位置に凸部を有し、
前記排水部は、前記第二方向における前記凸部の外側に配置されてもよい。
【００１２】
かかる構成によれば、保持部材の第二方向の端部に排水部から排水しきれない水が残っていたとしても、該水が凸部によって蓄電素子側に向かうのが妨げられ、これにより、該水を介した保持部材と蓄電素子との導通を抑制することができる。
【００１３】
この場合、前記蓄電装置では、
前記第一延設部及び前記第二延設部のそれぞれは、前記第二方向において一方の終端部から他方の終端部まで連続して延び、
前記第三方向において、前記第二延設部の寸法は、前記第一延設部の寸法より大きくてもよい。
【００１４】
このように、保持部材において第三方向における第二延設部の寸法を第一延設部の寸法より大きくすることで、保持部材における第二延設部側の部位が、三方の部位（第一延設部、本体部、終端延設部又は終端部）が互いに連接されることで強度が確保されている第一端面側隅部を含む第一延設部側の部位に比べて強度が低下するのを防ぐことができる。
【００１５】
本実施形態の移動体は、
上記のいずれかの蓄電装置と、
前記蓄電装置が搭載される移動体本体と、
前記蓄電装置から供給される電力によって前記移動体本体を駆動する駆動部と、を備え、
前記蓄電装置は、前記排水部が当該蓄電装置の下端部に位置するように配置される。
【００１６】
かかる構成によれば、当該移動体に搭載された蓄電装置において、下端部に排水部が配置されているため、保持部材に水が溜まり難い。
【００１７】
本実施形態の蓄電システムは、
上記のいずれかの蓄電装置と、
前記蓄電装置が載置される蓄電システム本体と、
前記蓄電装置と接続され、且つ、外部から電力の入力及び外部への電力の出力が可能な入出力端子と、を備え、
前記蓄電装置は、前記排水部が当該蓄電装置の下端部に位置するように配置される。
【００１８】
かかる構成によれば、当該蓄電システムに載置された蓄電装置において、下端部に排水部が配置されているため、保持部材に水が溜まり難い。
【発明の効果】
【００１９】
以上より、本実施形態によれば、保持部材部に水が溜まり難い蓄電装置、前記蓄電装置を備えた移動体、及び前記蓄電装置を備えた蓄電システムを提供することができる。
【図面の簡単な説明】
【００２０】
【図１】図１は、第一実施形態に係る蓄電装置の斜視図である。
【図２】図２は、前記蓄電装置の一部を省略した状態の分解斜視図である。
【図３】図３は、前記蓄電装置が備える蓄電素子の斜視図である。
【図４】図４は、前記蓄電素子の分解斜視図である。
【図５】図５は、前記蓄電装置が備える一対の連結部材の斜視図である。
【図６】図６は、前記連結部材の第一端面側隅部周辺の拡大斜視図である。
【図７】図７は、前記蓄電装置が備える一対のインシュレータの斜視図である。
【図８】図８は、前記インシュレータ及び前記連結部材の断面図である。
【図９】図９は、前記インシュレータの本体被覆部と第二被覆部との境界部周辺の拡大斜視図である。
【図１０】図１０は、前記インシュレータの本体被覆部と第二被覆部との境界部周辺の拡大斜視図である。
【図１１】図１１は、前記蓄電装置における終端部材周辺の断面図である。
【図１２】図１２は、第二実施形態に係る移動体を説明するための模式図である。
【図１３】図１３は、第三実施形態に係る蓄電システムを説明するための模式図である。
【図１４】図１４は、従来の電池ブロックの斜視図である。
【図１５】図１５は、前記電池ブロックの分解斜視図である。
【発明を実施するための形態】
【００２１】
以下、本発明の第一実施形態について、図１〜図１１を参照しつつ説明する。尚、本実施形態の各構成部材（各構成要素）の名称は、本実施形態におけるものであり、背景技術における各構成部材（各構成要素）の名称と異なる場合がある。
【００２２】
蓄電装置は、図１〜図４に示すように、外部端子１４が突出する第一端面１３Ａとこの第一端面１３Ａと反対側の第二端面１３Ｂとを表面に含む蓄電素子１０と、蓄電素子１０を保持する保持部材４と、を備える。本実施形態の蓄電装置１は、所定の方向（Ｘ軸方向）に並ぶ複数の蓄電素子１０を備える。また、蓄電装置１は、蓄電素子１０と隣接する複数の隣接部材２と、保持部材４と複数の蓄電素子１０との間に配置されるインシュレータ（絶縁部材）６と、蓄電素子１０の外部端子１４に接続されるバスバ８と、を備える。
【００２３】
蓄電素子１０には、一次電池、二次電池、キャパシタ等がある。本実施形態の蓄電素子１０は、充放電可能な非水電解質二次電池である。より詳しくは、本実施形態の蓄電素子１０は、リチウムイオンの移動に伴って生じる電子移動を利用したリチウムイオン二次電池である。
【００２４】
具体的に、蓄電素子１０は、電極体１２と、電極体１２を電解液と共に収容するケース１３と、少なくとも一部がケース１３の外側に露出する外部端子１４と、電極体１２と外部端子１４とを接続する集電体１５と、電極体１２とケース１３との間に配置されるケース内絶縁体１６と、を備える。
【００２５】
電極体１２では、正極と負極とがセパレータを介して交互に積層されている。本実施形態の電極体１２は、長尺な正極及び負極がセパレータを介して交互に積層された状態で巻回されている、いわゆる捲回型の電極体である。この電極体１２においてリチウムイオンが正極と負極との間を移動することにより、蓄電素子１０が充放電する。
【００２６】
ケース１３は、開口を有するケース本体１３１と、ケース本体１３１の開口を塞ぐ（閉じる）蓋板１３２と、を有する。本実施形態のケース本体１３１は、有底角筒状であり、ケース１３は、直方体形状（六面形状）である。このケース１３は、扁平な直方体形状であり、複数の蓄電素子１０は、ケース１３の幅広な面を対向させた状態で、Ｘ軸方向に並んでいる。
【００２７】
以下では、外部端子１４が突出する面（蓋板１３２の外面）を第一端面１３Ａ、六面形状のケース１３における第一端面１３Ａと反対側の端面を第二端面１３Ｂ、隣り合う蓄電素子１０と対向する方向の両端面を第三端面１３Ｃ、第一端面１３Ａ及び第二端面１３Ｂの法線方向（Ｚ軸方向）及びＸ軸方向と直交する方向（Ｙ軸方向）の両端面を第四端面１３Ｄ、とも称する。
【００２８】
隣接部材２は、Ｘ軸方向に並ぶ蓄電素子１０の間、又は蓄電素子１０と該蓄電素子１０に対してＸ軸方向に並ぶ部材（本実施形態の例では、保持部材４の一部）との間に配置される。この隣接部材２は、複数種の隣接部材を含む。本実施形態の隣接部材２は、隣り合う蓄電素子１０の間に配置される第一隣接部材２１と、Ｘ軸方向において最も端にある蓄電素子１０の外側に配置される第二隣接部材２２とを含む。
【００２９】
第一隣接部材２１は、絶縁性を有し、隣り合う蓄電素子１０の間に配置されることで蓄電素子１０間の間隔（沿面距離等）を確保する。具体的に、第一隣接部材２１は、蓄電素子１０（ケース本体１３１）と隣接する第一本体部２１１と、第一本体部２１１に対する蓄電素子１０の移動を規制する第一規制部２１２と、を有する。
【００３０】
第一本体部２１１は、蓄電素子１０の第三端面１３Ｃと対向する部位であり、Ｙ−Ｚ面（Ｙ軸とＺ軸とを含む面）方向に広がる。本実施形態の第一本体部２１１は、隣接する蓄電素子１０との間に温度調整用の流体（本実施形態の例では空気）が流通可能な流路を形成する。
【００３１】
第一規制部２１２は、第一本体部２１１からＸ軸方向に延び、第一本体部２１１と隣接する蓄電素子１０（詳しくはケース１３）に対してＹ−Ｚ面方向の外側から当接することによって該蓄電素子１０の第一本体部２１１に対するＹ−Ｚ面方向への相対移動を規制する。
【００３２】
第二隣接部材２２は、絶縁性を有し、Ｘ軸方向において蓄電素子１０と保持部材４（終端部材４１）との間に配置されることで蓄電素子１０と保持部材４（終端部材４１）との間の間隔（沿面距離等）を確保する。具体的に、第二隣接部材２２は、蓄電素子１０及び保持部材４との間において蓄電素子１０と隣接する第二本体部２２１と、第二本体部２２１に対する蓄電素子１０移動を規制する第二規制部２２２と、を有する。
【００３３】
第二本体部２２１は、蓄電素子１０の第三端面１３Ｃと対向する部位であり、Ｙ−Ｚ面方向に広がる。本実施形態の第二本体部２２１は、隣接する蓄電素子１０との間に温度調整用の流体（本実施形態の例では空気）が流通可能な流路を形成する。
【００３４】
第二規制部２２２は、第二本体部２２１からＸ軸方向に延び、第二本体部２２１と隣接する蓄電素子１０（詳しくはケース１３）に対してＹ−Ｚ面方向の外側から当接することによって該蓄電素子１０の第二本体部２２１に対するＹ−Ｚ面方向への相対移動を規制する。
【００３５】
保持部材４は、複数の蓄電素子１０と複数の隣接部材２との周囲を囲むことで、これら複数の蓄電素子１０及び複数の隣接部材２をひとまとめに保持する。この保持部材４は、金属等の導電性を有する部材によって構成される。具体的に、保持部材４は、Ｘ軸方向において蓄電素子１０の両側に配置される一対の終端部材（終端部）４１と、一対の終端部材４１を連結する連結部材（連結部）４２と、を有する。
【００３６】
一対の終端部材４１のそれぞれは、Ｘ軸方向の端に配置された蓄電素子１０との間に第二隣接部材２２を挟み込むように配置される。この終端部材４１は、Ｙ−Ｚ面方向に広がる。具体的に、終端部材４１は、蓄電素子１０と対応する輪郭（本実施形態では矩形状の輪郭）を有する本体４１１と、本体４１１から第二隣接部材２２の第二本体部２２１に向けて突出し且つ該第二隣接部材２２に当接して該第二隣接部材２２を押圧する圧接部４１２と、を有する。
【００３７】
一対の連結部材４２は、Ｙ軸方向において複数の蓄電素子１０の両側に配置される。これら一対の連結部材４２のそれぞれは、図５及び図６にも示すように、Ｙ軸方向において蓄電素子１０と対向する本体部４２０と、本体部４２０から蓄電素子１０の第一端面１３Ａに沿って延びる第一延設部４２１と、本体部４２０から終端部材４１に沿って延びる終端延設部４２３と、連結部材４２における蓄電素子１０の第二端面１３Ｂ側の部位に設けられる排水部４２６Ａと、を有する。また、一対の連結部材４２のそれぞれは、本体部４２０から蓄電素子１０の第二端面１３Ｂに沿って延びる第二延設部４２２を有する。これら本体部４２０と第一延設部４２１と終端延設部４２３とは、互いに連接されることで連結部材４２の第一端面側隅部４２５を構成する。即ち、第一端面側隅部４２５は、本体部４２０と第一延設部４２１と終端延設部４２３とが連接されている部位である。また、本体部４２０と第二延設部４２２と終端延設部４２３は、連結部材４２の第二端面側隅部４２６を構成する。即ち、第二端面側隅部４２６は、本体部４２０と第二延設部４２２と終端延設部４２３とが連接又は近接している部位である。本実施形態の第二端面側隅部４２６では、本体部４２０と第二延設部４２２とが連接し、本体部４２０と終端延設部４２３とが連接し、第二延設部４２２と終端延設部４２３とが近接している（詳しくは、第二延設部のＸ軸方向の端部と終端延設部４２３のＺ軸方向の端部とがスリット状の隙間をあけた状態の）部位である。これら第一端面側隅部４２５と第二端面側隅部４２６とは、Ｘ軸方向の最も外側に配置される蓄電素子１０のケース１３の角部を保持する部位である。本実施形態の第二端面側隅部４２６は、上述の排水部４２６Ａを有する。
【００３８】
本体部４２０は、Ｘ軸方向に並ぶ複数の蓄電素子１０のそれぞれ（詳しくは、各第四端面１３Ｄ）とＹ軸方向において対向する板状の部位である。本実施形態の本体部４２０は、Ｘ−Ｚ面（Ｘ軸とＺ軸とを含む面）に沿った板状で、且つＸ軸方向に長尺な矩形状である。この本体部４２０は、Ｘ軸方向に延び且つＺ軸方向に間隔をあけて配置される一対の梁部４２０１と、Ｚ軸方向に延び且つ一対の梁部４２０１の端部同士を接続する一対の第一接続部４２０２と、Ｚ軸方向に延び且つＸ軸方向の途中位置（本実施形態の例では、Ｘ軸方向に並ぶ複数の蓄電素子１０のうちの途中位置に配置された蓄電素子１０とＹ軸方向から見て重なる位置）において一対の梁部４２０１同士を接続する第二接続部４２０３と、を有する。
【００３９】
一対の梁部４２０１のうちの一方は、各蓄電素子１０の第四端面１３Ｄにおける第一端面１３Ａ側の端部に沿ってＸ軸方向に延びる。また、一対の梁部４２０１のうちの他方は、各蓄電素子１０の第四端面１３Ｄにおける第二端面１３Ｂ側の端部に沿ってＸ軸方向に延びる。また、本実施形態の第二接続部４２０３は、Ｘ軸方向に間隔を空けて複数配置される。
【００４０】
第一延設部４２１は、本体部４２０（詳しくは、梁部４２０１）から各蓄電素子１０の第一端面１３Ａに沿って延び且つ一方の終端部材４１から他方の終端部材４１まで延びる板状の部位である。本実施形態の第一延設部４２１は、本体部４２０の第一端面１３Ａ側の端部（図５における上端）からＹ軸方向に延び、且つ一方の終端部材４１から他方の終端部材４１までＸ軸方向に連続して延びている。
【００４１】
第二延設部４２２は、本体部４２０（詳しくは、梁部４２０１）から各蓄電素子１０の第二端面１３Ｂに沿って延び且つ一方の終端部材４１から他方の終端部材４１まで延びる板状の部位である。本実施形態の第二延設部４２２は、本体部４２０の第二端面１３Ｂ側の端部（図５における下端）からＹ軸方向に延び、且つ一方の終端部材４１から他方の終端部材４１までＸ軸方向に連続して延びている。Ｙ軸方向において、第二延設部４２２の寸法は、第一延設部４２１の寸法より大きい。
【００４２】
終端延設部４２３は、本体部４２０（詳しくは、第一接続部４２０２）から終端部材４１に沿って延びる板状の部位である。終端延設部４２３は、連結部材４２における終端部材４１に固定される部位であり、該固定によって終端部材４１と連結部材４２とが連結される。本実施形態の終端延設部４２３は、ビスＢによって終端部材４１に締結される。この終端延設部４２３は、本体部４２０のＸ軸方向の端部（図５における左端及び右端）からＹ軸方向に延びる。本実施形態の終端延設部４２３は、Ｚ軸方向の本体部４２０の一方（第一端面１３Ａ側）の端部から他方（第二端面１３Ｂ側）の端部近傍まで延びている。
【００４３】
第一端面側隅部４２５は、本体部４２０の第一端面１３Ａ側の隅部（角部）と、第一延設部４２１のＸ軸方向の端部と、終端延設部４２３のＺ軸方向の端部とが隙間なく互いに連接する（接続される）ことによって形成されている。本実施形態の第一端面側隅部４２５は、絞り加工やプレス等によって形成される。本実施形態の第一端面側隅部４２５は、蓄電装置１における第一端面１３Ａ側の隅部も構成する。
【００４４】
第二端面側隅部４２６は、本体部４２０の第二端面１３Ｂ側の隅部（角部）と、第二延設部４２２のＸ軸方向の端部と、終端延設部４２３のＺ軸方向の端部とによって形成されている。本実施形態の第二端面側隅部４２６は、蓄電装置１における第二端面１３Ｂ側の隅部も構成する。この第二端面側隅部４２６は、第二延設部４２２と終端延設部４２３との間に、排水部４２６Ａを有する。
【００４５】
排水部４２６Ａは、第二延設部４２２と終端延設部４２３との間に設けられた隙間である。本実施形態の排水部４２６Ａは、保持部材４の強度が確保できるよう、水が通過する程度（３〜６ｍｍ程度）の僅かな隙間である。この隙間（排水部４２６Ａ）を通じて、第二端面側隅部４２６の内側（蓄電素子１０側）の水を外部に排水できる。本実施形態の排水部４２６Ａは、Ｙ軸方向に延びる隙間であり、Ｙ軸方向の一端が本体部４２０によって閉じられ、他端が解放されている。この排水部４２６Ａは、第二端面側隅部４２６を形成するために所定形状の板材が折り曲げられることによって形成されている。
【００４６】
インシュレータ６は、絶縁性を有し、連結部材４２と、Ｘ軸方向に並ぶ複数の蓄電素子１０との間に配置される。このインシュレータ６は、少なくとも連結部材４２における蓄電素子１０と対向する面（領域）を覆う。これにより、インシュレータ６は、保持部材４と、Ｘ軸方向に並ぶ複数の蓄電素子１０との間を絶縁する。具体的に、インシュレータ６は、図７にも示すように、本体部４２０を覆う本体被覆部６０と、第一延設部４２１を覆う第一被覆部６１と、第二延設部４２２を覆う第二被覆部６２と、を有する。
【００４７】
本体被覆部６０は、本体部４２０における蓄電素子１０（詳しくは、第四端面１３Ｄ）と対向する対向面（以下、本体対向面とも称する。）を覆う。この本体被覆部４０は、本体部４２０と対応する形状を有する。即ち、本体被覆部６０は、梁部４２０１における蓄電素子１０との対向面を覆う一対の梁部被覆部６００と、第一接続部４２０２における蓄電素子１０との対向面を覆う一対の第一の接続被覆部６０１と、第二接続部４２０３における終端部材４１との対向面を覆う複数の第二の接続被覆部６０２と、を有する。
【００４８】
第一被覆部６１は、少なくとも第一延設部４２１の蓄電素子１０と対向する面（領域）を覆う。本実施形態の第一被覆部６１は、第一延設部４２１における蓄電素子１０（第一端面１３Ａ）との対向面と、蓄電素子１０と反対側の面との両面を覆う。
【００４９】
第二被覆部６２は、図８にも示すように、第二延設部４２２における蓄電素子１０（第二端面１３Ｂ）との対向面４２２Ａに沿って第二延設部４２２と本体部４２０との境界位置から該第二延設部４２２の先端（Ｙ軸方向の先端）まで延びると共に、該先端で折り返して該第二延設部４２２における蓄電素子１０と反対側の面（外面）４２２Ｂに沿って延びる。即ち、第二被覆部６２は、第二延設部４２２における第二端面１３Ｂとの対向面を覆う第一部位６２１と、第二延設部４２２の先端を覆う第二部位６２２と、第二延設部４２２の外面を覆う第三部位６２３と、を有する。
【００５０】
第一部位６２１は、第二被覆部６２において第二延設部４２２の対向面４２２Ａに沿って広がる板状の部位である。具体的に、第一部位６２１は、第二延設部４２２と対応した大きさの矩形状である。第二部位６２２は、第二被覆部６２において、第一部位６２１の先端（Ｙ軸方向の端縁）から第二延設部４２２の先端を覆うように折り返す部位である。第三部位６２３は、第二被覆部６２において第二延設部４２２の外面４２２Ｂに沿って広がる板状の部位である。具体的に、第三部位６２３は、矩形板状の部位である。Ｙ軸方向において、この第三部位６２３の寸法は、第二延設部４２２の寸法より小さい。
【００５１】
以上の第二被覆部６２では、Ｘ軸方向の両端において第一部位６２１と第三部位６２３との隙間が塞がれている。これにより、第二被覆部６２の先端部（Ｙ軸方向の先端部）は、第二延設部４２２の先端部が差し込まれる袋状である。
【００５２】
また、インシュレータ６は、図９〜図１１にも示すように、終端部材４１と、該終端部材４１と隣り合う蓄電素子１０との間で本体部４２０と第二延設部４２２とに跨った位置に凸部６５を有する。本実施形態の蓄電装置１では、凸部６５は、Ｘ軸方向における排水部４２６Ａの内側に配置される、換言すると、排水部４２６Ａは、Ｘ軸方向における凸部６５の外側に配置される。
【００５３】
具体的に、この凸部６５は、第二被覆部６２の第一部位６２１から突出すると共に、Ｙ軸方向において第一部位６２１の途中位置から本体被覆部６０まで延びている。本実施形態の凸部６５は、本体部４２０からＹ軸方向に延びる薄板状（Ｙ−Ｚ面に沿った板状）である。凸部６５の突出量（第一部位６２１からの高さ）は、第二端面側隅部４２６において排水部４２６Ａから排水しきれずに残った水が蓄電素子１０に向かって移動するのを阻止できる大きさに設定されている。
【００５４】
バスバ８は、金属等の導電性を有する板状の部材である。バスバ８は、異なる蓄電素子１０の外部端子１４同士を導通させる。バスバ８は、蓄電装置１において複数（複数の蓄電素子１０と対応する数）設けられる。本実施形態の複数のバスバ８は、蓄電装置１に含まれる複数の蓄電素子１０の全てを直列に接続する（導通させる）。
【００５５】
以上の蓄電装置１によれば、第二端面側隅部４２６が他の部位より下方に位置するように蓄電装置１が配置されたときに、保持部材４における蓄電素子１０と対向する面に生じた結露等の水が保持部材４の角部（第二端面側隅部）４２６に集まったとしても、該水が排水部４２６Ａから外部へ排水されるため、該角部（第二端面側隅部）４２６に水が溜まり難い。
【００５６】
また、本実施形態の蓄電装置１では、インシュレータ６が終端部材４１と該終端部材４１と隣り合う蓄電素子１０との間で本体部４２０と第二延設部４２２とに跨った位置に凸部６５を有している。このため、第二端面側隅部４２６に排水部４２６Ａから排水しきれない水が残っていたとしても、該水が凸部６５によって蓄電素子１０側に向かうのが妨げられる。これにより、該水を介した保持部材４と蓄電素子１０との導通を効果的に防ぐことができる。
【００５７】
本実施形態の蓄電装置１では、第一延設部４２１及び第二延設部４２２のそれぞれがＸ軸方向において一方の終端部材４１から他方の終端部材４１まで連続して延びている。また、蓄電装置１では、Ｙ軸方向において、第二延設部４２２の寸法が第一延設部４２１の寸法より大きい。これにより、保持部材４において、排水部４２６Ａが第二端面側隅部４２６に設けられることで当該部位の強度が低下する場合であっても、Ｙ軸方向における第二延設部４２２の寸法を第一延設部４２１の寸法より大きくすることで、該保持部材４における第二延設部４２２側の部位が、三方の部位（第一延設部４２１、本体部４２０、終端延設部４２３）が互いに連接されることで強度が確保されている第一端面側隅部４２５を含む第一延設部４２１側の部位に比べて強度が低下するのを防ぐことができる。
【００５８】
次に、本発明の第二実施形態について、図１２を参照しつつ説明するが、上記第一実施形態と同様の構成には同一符号を用いて詳細な説明を繰り返さず、異なる構成についてのみ詳細に説明する。本発明の第二実施形態は、移動体である。
【００５９】
移動体７００は、蓄電装置１と、蓄電装置１が搭載される移動体本体７０１と、蓄電装置１から供給される電力によって移動体本体７０１を駆動する駆動部７０２と、を備える。本実施形態の移動体７００は、自動車であり、移動体本体７０１は車体であり、駆動部７０２は、モーターである。尚、移動体７００は、自動車に限定されず、航空機、船舶、鉄道、建機等でもよい。即ち、蓄電装置１から供給される電力を利用して移動（走行等）するものであればよい。
【００６０】
この移動体７００において、蓄電装置１は、排水部４２６Ａが当該蓄電装置１の下端部に位置するように配置される。図１２に示す例では、蓄電装置１は、各蓄電素子１０の外部端子１４が第一端面１３Ａから上方に向けて突出する姿勢で配置されている、即ち、蓄電装置１の第二延設部４２２側の四隅に設けられた排水部４２６Ａのそれぞれが当該蓄電装置１の下端部に位置する姿勢で配置されているが、蓄電装置１の第二延設部４２２側の四隅のそれぞれに設けられた排水部４２６Ａの少なくとも一つが当該蓄電装置１の下端部に位置するように配置されていればよい。
【００６１】
本実施形態の移動体７００では、複数の蓄電装置１が同じ姿勢で移動体本体７０１に搭載されている。
【００６２】
以上の移動体７００によれば、当該移動体７００に搭載された蓄電装置１において、保持部材４における蓄電素子１０と対向する面に生じた結露等の水が保持部材４の角部（第二端面側隅部）４２６に集まったとしても、該水が排水部４２６Ａから外部へ排水されるため、該角部（第二端面側隅部）４２６に水が溜まり難い。
【００６３】
次に、本発明の第三実施形態について、図１３を参照しつつ説明するが、上記第一実施形態と同様の構成には同一符号を用いて詳細な説明を繰り返さず、異なる構成についてのみ詳細に説明する。本発明の第三実施形態は、蓄電システムである。
【００６４】
蓄電システム８００は、蓄電装置１と、蓄電装置１が載置される蓄電システム本体８０１と、蓄電装置１（詳しくは、蓄電装置１の総端子）と接続され、且つ、外部から電力の入力及び外部への電力の出力が可能な入出力端子８０２と、を備える。本実施形態の蓄電システム８００は、風力発電や太陽光発電等に用いられるものであり、蓄電システム本体８０１は、設置場所Ｇに据え付けられる筐体であり、入出力端子８０２は、風車や太陽光電池、外部への送電系統等に接続される端子である。尚、蓄電システム８００は、風車や太陽光電池によって発電した電力を蓄電するものに限定されず、安価な夜間電力を蓄電する家庭用システム、災害に備えて常時一定量の電力を蓄電しておくバックアップシステム等でもよい。
【００６５】
この蓄電システム８００において、蓄電装置１は、排水部４２６Ａが当該蓄電装置１の下端部に位置するように配置される。図１３に示す例では、蓄電装置１は、各蓄電素子１０の外部端子１４が第一端面１３Ａから上方に向けて突出する姿勢で配置されている、即ち、蓄電装置１の第二延設部４２２側の四隅に設けられた排水部４２６Ａのそれぞれが当該蓄電装置１の下端部に位置する姿勢で配置されているが、蓄電装置１の第二延設部４２２側の四隅のそれぞれに設けられた排水部４２６Ａの少なくとも一つが当該蓄電装置１の下端部に位置するように配置されていればよい。
【００６６】
本実施形態の蓄電システム８００では、複数の蓄電装置１が同じ姿勢で蓄電システム本体８０１に載置されている。
【００６７】
以上の蓄電システム８００によれば、当該蓄電システム８００に載置された蓄電装置１において、保持部材４における蓄電素子１０と対向する面に生じた結露等の水が保持部材４の角部（第二端面側隅部）４２６に集まったとしても、該水が排水部４２６Ａから外部へ排水されるため、該角部（第二端面側隅部）４２６に水が溜まり難い。
【００６８】
尚、本発明の蓄電装置、移動体、及び蓄電システムは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６９】
上記実施形態の蓄電装置１では、排水部４２６Ａが設けられた角部（第二端面側隅部）４２６が連結部材４２に配置されているが、この構成に限定されない。例えば、排水部４２６Ａが設けられた角部（第二端面側隅部）４２６が、保持部材４に配置される構成、即ち、排水部４２６Ａが設けられた隅部４２６が、連結部材４２と終端部材（終端部）４１とに跨って形成される構成や、終端部材（終端部）４１に形成される構成等でもよい。例えば具体的には、保持部材４において、本体部４２０と第一延設部４２１と終端部材（終端部）４１とが連接されることで第一端面側隅部４２５が構成され、本体部４２０と第二延設部４２２と終端部材（終端部）４１とによって第二端面側隅部４２６が構成されてもよい。
【００７０】
かかる構成によっても、上記実施形態の蓄電装置１と同様に、第二端面側隅部４２６が他の部位より下方に位置するように蓄電装置１が配置されたときに、保持部材４における蓄電素子１０と対向する面に生じた結露等の水が保持部材４の角部（第二端面側隅部）４２６に集まったとしても、該水が排水部４２６Ａから外部へ排水される。このため、該角部（第二端面側隅部）４２６に水が溜まり難い。
【００７１】
上記実施形態の蓄電装置１では、連結部材４２の一対の梁部４２０１は、第一及び第二接続部４２０２、４２０３によって接続されているが、この構成に限定されない。例えば、本体部４２０が一対の梁部４２０１のみを有する構成、即ち、一対の梁部４２０１が互いに独立した構成でもよい。この場合、第一端面１３Ａ側に配置される梁部４２０１に、第一端面側隅部４２５が設けられ、第二端面１３Ｂ側に配置される梁部４２０１に、排水部４２６Ａを備えた第二端面側隅部４２６が設けられる（例えば、図１３に示す構成に排水部４２６Ａを設けたもの）。
【００７２】
また、上記実施形態の蓄電装置１では、第二端面側隅部４２６に設けられた排水部４２６Ａは、板状の部位を折り曲げることによって形成される隙間であるが、この構成に限定されない。例えば、排水部４２６Ａは、切り欠きや、孔、スリット等でもよい。即ち、排水部４２６Ａは、第二端面側隅部４２６の内側（蓄電素子１０側）の水が外部に排水可能な構成（形状）であればよい。
【００７３】
上記実施形態の蓄電装置１では、連結部材４２が本体部４２０と第一延設部４２１と第二延設部４２２と終端延設部４２３とを有するがこの構成に限定されない。連結部材４２は、少なくとも本体部４２０と、第一延設部４２１と、終端延設部４２３における第一端面側隅部４２５を構成する部位（図１における終端延設部４２３の上端部のみ）と、を有していればよい。即ち、連結部材４２において、第二延設部４２２と、終端延設部４２３の第二延設部４２２側の端部とは、無くてもよい。
【００７４】
また、上記実施形態の蓄電装置１では、連結部材４２の本体部４２０は、Ｚ軸方向において、蓄電素子１０の第四端面１３Ｄにおける第一端面１３Ａ側の端部から第二端面１３Ｂ側の端部までの範囲に配置されているが、この構成に限定されない。本体部４２０は、Ｚ軸方向において第一端面側隅部４２５が形成できる範囲に配置されていればよい。即ち、本体部４２０は、少なくとも、各蓄電素子１０の第四端面１３Ｄにおける第一端面１３Ａ側の端部に沿ってＸ軸方向に延びる部位を有していればよい。
【００７５】
また、上記実施形態の蓄電装置１では、連結部材４２の第二延設部４２２側の部位におけるＸ軸方向の端部に排水部４２６Ａが設けられているが、この構成に限定されない。排水部４２６Ａは、連結部材４２の第二延設部４２２側の部位におけるＸ軸方向の途中位置に配置されていてもよい。この場合、第二端面側隅部４２６において、本体部４２０と第二延設部４２２と終端延設部４２３とが隙間なく互いに連接していてもよい。また、排水部４２６Ａは、連結部材４２の第二延設部４２２側の端部におけるＸ軸方向の全域又はＹ軸方向の全域に配置されてもよい。
【００７６】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【符号の説明】
【００７７】
１…蓄電装置、２…隣接部材、２１…第一隣接部材、２１１…第一本体部、２１２…第一規制部、２２…第二隣接部材、２２１…第二本体部、２２２…第二規制部、４…保持部材、４０…本体被覆部、４１…終端部材（終端部）、４１１…本体、４１２…圧接部、４２…連結部材（連結部）、４２０…本体部、４２０１…梁部、４２０２…第一接続部、４２０３…第二接続部、４２１…第一延設部、４２２…第二延設部、４２２Ａ…対向面、４２２Ｂ…外面、４２３…終端延設部、４２５…第一端面側隅部、４２６…第二端面側隅部（角部）、４２６Ａ…排水部、６…インシュレータ、６０…本体被覆部、６００…梁部被覆部、６０１…第一の接続被覆部、６０２…第二の接続被覆部、６１…第一被覆部、６２…第二被覆部、６２１…第一部位、６２２…第二部位、６２３…第三部位、６５…凸部、８…バスバ、１０…蓄電素子、１２…電極体、１３…ケース、１３Ａ…第一端面、１３Ｂ…第二端面、１３Ｃ…第三端面、１３Ｄ…第四端面、１３１…ケース本体、１３２…蓋板、１４…外部端子、１５…集電体、１６…ケース内絶縁体、１００…電池ブロック、１０１…電池セル、１０１Ａ…外側面、１０１Ｂ…天面、１０１Ｃ…底面、１０１１…外装缶、１０１２…封口板、１０１３…電極端子、１０２…電池積層体、１０３…固定部材、１０４…エンドプレート、１０５…連結固定具、１０５１…第一部位、１０５２…第二部位、１０５３…第三部位、１０６…角部、７００…移動体、７０１…移動体本体、７０２…駆動部、８００…蓄電システム、８０１…蓄電システム本体、８０２…入出力端子、Ｂ…ビス、Ｇ…設置場所
【図１】
2019032998.tif 000003
【図２】
2019032998.tif 000004
【図３】
2019032998.tif 000005
【図４】
2019032998.tif 000006
【図５】
2019032998.tif 000007
【図６】
2019032998.tif 000008
【図７】
2019032998.tif 000009
【図８】
2019032998.tif 000010
【図９】
2019032998.tif 000011
【図１０】
2019032998.tif 000012
【図１１】
2019032998.tif 000013
【図１２】
2019032998.tif 000014
【図１３】
2019032998.tif 000015
【図１４】
2019032998.tif 000016
【図１５】
2019032998.tif 000017